(57)【特許請求の範囲】
【請求項１】
加熱手段、グリル庫、当該グリル庫と連通する排気ダクトを備えた調理器本体と、
前記調理器本体にその上面を覆うように取付けられ、調理容器が載置される載置台と、
前記調理器本体にあって前記載置台と接する部位に設けられ、前記載置台の取付け時に当該載置台を前記調理器本体上で摺動可能にする摺動部と、
前記載置台の後ろ側に設けられた水平枠部と、
前記調理器本体の後ろ側に設けられ、前記水平枠部を載置する載置面と、
前記載置面にあって前記排気ダクトより後方の位置に設けられ、前記水平枠部の前方への移動を規制する膨出部と、を備え、
前記載置台の前記調理器本体への取付け時において、前記載置台の摺動開始時には前記水平枠部を前記載置面にあって前記膨出部より前方側の部位に当接させておき、前記載置台を後方へ摺動させて前記水平枠部が前記膨出部を乗り越えることで前記載置台の摺動を停止させる構成としたことを特徴とする加熱調理器。
【請求項２】
加熱手段、グリル庫、当該グリル庫と連通する排気ダクトを備えた調理器本体と、
前記調理器本体にその上面を覆うように取付けられ、調理容器が載置される載置台と、
前記調理器本体にあって前記載置台と接する部位に設けられ、前記載置台の取付け時に当該載置台を前記調理器本体上で摺動可能にする摺動部と、を備え、
前記載置台は、下方に突出して前記排気ダクトの開口部と嵌合する排気口部を有し、
前記排気ダクトの前記開口部に、前記載置台とともに摺動する前記排気口部の動きを許容する延出部が設けられていることを特徴とする加熱調理器。
【請求項３】
加熱手段、グリル庫、当該グリル庫と連通する排気ダクトを備えた調理器本体と、
前記調理器本体にその上面を覆うように取付けられ、調理容器が載置される載置台と、
前記調理器本体にあって前記載置台と接する部位に設けられ、前記載置台の取付け時に当該載置台を前記調理器本体上で摺動可能にする摺動部と、を備え、
前記載置台は、下方に突出して前記排気ダクトの開口部と嵌合する排気口部を有し、
前記排気口部或いは前記排気ダクトのいずれか一方或いは双方の摺動方向の上流側に位置する部位に、前記載置台の摺動停止時に相手側に当接する弾性部材が設けられていることを特徴とする加熱調理器。
【請求項４】
前記調理器本体の前記摺動部付近に、前記載置台が摺動する摺動方向とは異なる方向へ突出する突出部が設けられ、
前記載置台の一部が、前記突出部の下方を摺動することを特徴とする請求項１から３のいずれか一項に記載の加熱調理器。
【請求項５】
前記載置台は、前記調理容器が載置されるトッププレートと、当該トッププレートを保持する支持フレームとを備え、
前記支持フレームは、前記突出部を外側から覆う覆い部を有し、当該覆い部の下部に前記突出部の下方に入り込む引っ掛かり部を有していることを特徴とする請求項４記載の加熱調理器。
【請求項６】
前記引っ掛かり部に、前記突出部よりも大きい開口部が形成されていることを特徴とする請求項５記載の加熱調理器。
【請求項７】
前記載置台の摺動開始位置を決める摺動開始用位置決め部が設けられていることを特徴とする請求項１から６のいずれか一項に記載の加熱調理器。
【請求項８】
前記載置台の摺動停止位置を決める摺動停止用位置決め部が設けられていることを特徴とする請求項１から７のいずれか一項に記載の加熱調理器。
【請求項９】
前記弾性部材に、前記載置台の摺動停止位置を決める摺動停止用位置決め部が設けられていることを特徴とする請求項３記載の加熱調理器。
【発明の詳細な説明】
【技術分野】
【０００１】
本発明は、調理容器が載置される載置台を備えた加熱調理器に関する。
【背景技術】
【０００２】
従来より、調理容器が載置される載置台を備え、この調理容器を誘導加熱により加熱する加熱調理器が普及しつつある。この載置台は、調理容器が載置されるトッププレートと、このトッププレートを囲う支持フレームとから構成されており、一般に、加熱手段を備えた調理器本体に多数のねじで固定されている（例えば、特許文献１参照）。
【特許文献１】特開平７−６８６９号公報
【発明の開示】
【発明が解決しようとする課題】
【０００３】
載置台を調理器本体に多数のねじの締付けのみで固定する構成では、組立て時、保守点検時のための分解時に、ねじの着脱に時間がかかり、組立て、分解の作業効率が悪い。
本発明は、上記の事情に鑑みてなされたものであり、その目的は、載置台を調理器本体に取付ける際の作業効率の向上を図ることができる加熱調理器を提供することである。
【課題を解決するための手段】
【０００４】
上記目的を達成するために、本発明の加熱調理器は、加熱手段、グリル庫、当該グリル庫と連通する排気ダクトを備えた調理器本体と、前記調理器本体にその上面を覆うように取付けられ、調理容器が載置される載置台と、前記調理器本体にあって前記載置台と接する部位に設けられ、前記載置台の取付け時に当該載置台を前記調理器本体上で摺動可能にする摺動部と、前記載置台の後ろ側に設けられた水平枠部と、前記調理器本体の後ろ側に設けられ、前記水平枠部を載置する載置面と、前記載置面にあって前記排気ダクトより後方の位置に設けられ、前記水平枠部の前方への移動を規制する膨出部と、を備え、前記載置台の前記調理器本体への取付け時において、前記載置台の摺動開始時には前記水平枠部を前記載置面にあって前記膨出部より前方側の部位に当接させておき、前記載置台を後方へ摺動させて前記水平枠部が前記膨出部を乗り越えることで前記載置台の摺動を停止させる構成としたことを特徴としている。
【発明の効果】
【０００５】
本発明の加熱調理器によれば、調理器本体にあって載置台と接する部位に、載置台の取付け時に載置台を調理器本体上で摺動可能にする摺動部が設けられた構成であるので、載置台を調理器本体に対して摺動させて取付けることができ、もって、載置台を調理器本体に取付ける際に、ねじの締付けのみで取付ける方法に比べて、ねじの本数を極力少なくしたり、ねじをなくしたりすることが可能となり、作業効率の向上させることができるようになる。
【発明を実施するための最良の形態】
【０００６】
以下、本発明の第１の実施形態を示す図１乃至図８を参照して説明する。尚、本実施形態は、据置タイプのクッキングヒータに適用したものである。
図２に加熱調理器１の分解斜視図を示す。この加熱調理器１の調理器本体２は、上面が開口した矩形箱状をなし、内部に後述する加熱手段等が備えられている。この調理器本体２の上面開口部には、これを覆うようにして矩形板状の載置台３が取付けられる構成である。
【０００７】
調理器本体２内の上部に配置されるコイル装着台４上には、加熱手段である左ＩＨ用の加熱コイル５及び右ＩＨ用の加熱コイル６が装着され、これら加熱コイル５，６に高周波電流が供給されることにより、載置台３に載置された調理容器（図示せず）が誘導加熱される構成である。
【０００８】
コイル装着台４の下方左側には、図２及び図３に示すように、前面が開放された箱状のグリル庫７が配置されている。このグリル庫７内には、図３に示すように、調理物Ｔが載置される棚８が配置され、この棚８を挟んだ上下２箇所に調理物Ｔを加熱する加熱手段、例えばシーズヒータ９が配設されている。又、コイル装着台４の前方には、図２に示すように、加熱コイル５，６及びシーズヒータ９の加熱状態等を載置台３に表示するＬＥＤ等を備えた表示部１０が配設されている。
【０００９】
グリル庫７の前面には、グリル庫７の開放部分を覆うとともに、グリル庫７内の棚８の出し入れを一体に行う引出し式の扉１１が設けられている。この引出し式の扉１１の右側には、加熱温度の条件設定等を操作するダイヤル１２ａ及び条件設定等を表示する表示部１２ｂ等を有する操作パネル１２が設けられている。
【００１０】
調理器本体２の操作パネル１２の後方には、電源回路（図示せず）及び操作パネル１２の入力信号に基づいて加熱コイル５，６及びシーズヒータ９の加熱の制御を行う回路等を備えた制御機器１３が配設されている。この制御機器１３の後方には、制御機器１３等の冷却を行う冷却ファン１４が収納されている。冷却ファン１４は、例えば軸方向から空気を吸込んで径方向へ吐出するシロッコファンからなるものである。
【００１１】
調理器本体２内の冷却ファン１４の後方に位置する部位には、冷却ファン１４に空気を供給するための吸気ダクト１５が設けられている。この吸気ダクト１５の開口部の左右両側には、ねじ孔部１５ａ，１５ａが形成されている。
【００１２】
調理器本体２内のグリル庫７の後方に位置する部位には、図２乃至図４に示すように、グリル庫７内と連通し、グリル庫７内の煙を外部に排出する排気ダクト１６が設けられている。排気ダクト１６を構成する壁面のうちの前面側の壁面１６ａには、排気ダクト１６の開口部１７の開口形状が前方に広がった延出部１８が形成されている。この延出部１８は、図４に示すように、前面側に向かって延びる水平壁面１９と、この水平壁面１９の前面側の端部から上方に向かって延びる垂直壁面２０とから構成されている。
【００１３】
又、図２に示すように、排気ダクト１６の開口部１７の左右両側には、ねじ孔部１７ａ，１７ａが形成されている。尚、後述するが、延出部１８（壁面１６ａ）の垂直壁面２０が摺動開始用位置決め部として機能し、排気ダクト１６を構成する壁面のうちの後ろ側の壁面１６ｂが摺動停止用位置決め部として機能する。
【００１４】
調理器本体２の外郭を構成する壁面のうちの左右両側の壁面２ａ，２ａの上部には、図１乃至図３、図５及び図７に示すように、載置台３の左右両端部が載置される載置面２２，２２が設けられている。載置面２２は、調理器本体２の壁面２ａを内側に折曲げられて、水平状態に形成されている。この載置面２２は、後述するが、載置台３と接する部位であり、載置台３の取付け時に、載置台３を調理器本体２上で摺動可能にする摺動部として機能するものである。
【００１５】
調理器本体２の載置面２２の内周側端部には、上方に延び、載置台３が調理器本体２に載置された時に載置台３内に収納される突板部２３が形成されている。突板部２３は、載置面２２を上方に折曲げて形成され、調理器本体２の前後方向に延びた形状である。又、調理器本体２の載置面２２付近、この場合、突板部２３の外側の側面には、調理器本体２の前後方向と異なる方向、この場合、突板部２３の側面と直交し、調理器本体２の外側方向へ突出する突出部２４が設けられている。突出部２４は、例えば円柱状をなし、軸方向の一方の端面部が突板部２３に螺合して固定され、他方の底面部が載置面２２の左右方向（幅方向）の中央に位置するように構成されている。又、載置面２２と突出部２４との間には、図７（ａ）に示すように、隙間が設けられている。この突出部２４は、図２に示すように、片側の突板部２３につき複数個、この場合２個設けられている。
【００１６】
調理器本体２の外郭を構成する壁面のうちの後ろ側の壁面２ｂの上部には、図１乃至図４に示すように、載置台３の後端部が載置される載置面２５が設けられている。載置面２５は、調理器本体２の壁面２ｂを折曲げられて形成されている。この載置面２５には、上方に突出し、左右方向に延びる膨出部２６が形成されている。尚、後述するが、この膨出部２６は、位置規制部として機能する。
【００１７】
載置台３は、図１、図２及び図６に示すように、調理容器（図示せず）が載置される矩形板状をなす耐熱ガラス製のトッププレート３１と、このトッププレート３１の周縁部を囲う金属製の支持フレーム３２とから構成されている。
支持フレーム３２には、トッププレート３１が接着剤で固定されている。
【００１８】
支持フレーム３２の後部には、調理器本体２の吸気ダクト１５内に延びるダクト状の吸気口部３４と、排気ダクト１６内に延びるダクト状の排気口部３５が夫々形成されている。排気口部３５は、図４に示すように、排気ダクト１６の上方側に位置し開口面積が最も広い拡大部３６と、この拡大部３６から下方に突出し、排気ダクト１６の開口部１７に嵌合するように開口面積が最も小さく設定された狭小部３７と、拡大部３６と狭小部３７とを繋ぐ水平方向に延びる段部３８とから構成されている。
【００１９】
支持フレーム３２の周縁部は、図６（ｂ）に示すように、内周側が開放した断面コ字状に折曲げられている。即ち、支持フレーム３２の周縁部には、下方（調理器本体２）に延びる垂直枠部３９と、垂直枠部３９の下端部から内周側に延びる水平枠部４０とが形成されている。そして、載置台３が調理器本体２に載置されたときに、この支持フレーム３２の水平枠部４０のうち左右両側の水平枠部４０ａが、調理器本体２の載置面２２に当接され、支持フレーム３２の後ろ側の水平枠部４０ｂが、調理器本体２の載置面２５に当接される構成になっている。尚、後述するが、支持フレーム３２の垂直枠部３９と水平枠部４０ａとが覆い部として機能し、水平枠部４０ａが引っ掛かり部として機能する。
【００２０】
載置台３の水平枠部４０ａには、図１及び図８に示すように、調理器本体２の突出部２４よりも大きい開口部４１が、突出部２４に対応した数だけ形成されている。又、各開口部４１は、図１（ｃ）に示すように、対応する突出部２４のやや前方の位置に形成されている。
【００２１】
支持フレーム３２の吸気口部３４の左右両側には、図２に示すように、吸気ダクト１５のねじ孔部１５ａに対応するねじ孔部３４ａが形成され、排気口部３５の左右両側には、排気ダクト１６のねじ孔部１７ａに対応するねじ孔部３５ａが形成され、これらのねじ孔部１５ａ，１７ａ，３４ａ，３５ａには、ねじ４２が挿入される構成になっている。
【００２２】
次に、載置台３を調理器本体２に取付ける手順について図１、図４、図７及び図８を参照して説明する。尚、調理器本体２の突出部２４と載置台３の開口部４１との位置関係を分かり易くするために、図１を、調理器本体２を右側から見た側面図と載置台３の右側の開口部４１の中央を縦断する断面図とを組合せた図として示す。
【００２３】
まず、載置台３の排気口部３５の狭小部３７の前面側の壁面３７ａの下端部を、調理器本体２の排気ダクト１６内に位置させ、且つ、この狭小部３７の壁面３７ａを延出部１８の垂直壁面２０の上端部に当接するように、載置台３を調理器本体２上に位置させると、図１（ａ）及び図７（ａ）に示すように、載置台３の開口部４１が、調理器本体２の突出部２４の上方に位置した状態になる。
【００２４】
次に、載置台３を真下に下ろすと、相対的に突出部２４が開口部４１を通過し、図１（ｂ）及び図７（ｂ）に示すように、載置台３の水平枠部４０ａが調理器本体２の載置面２２に当接し、又、水平枠部４０ｂが載置面２５のうちの膨出部２６よりも前方側の部位に当接し、もって、載置台３が調理器本体２に載置される。
【００２５】
このとき、図４の二点鎖線に示すように、載置台３の一部、この場合、排気ダクト１６の狭小部３７が、調理器本体２の排気ダクト１６内、具体的には延出部１８内に収容されると、載置台３の狭小部３７の壁面３７ａよりも前方に、調理器本体２の延出部１８の垂直壁面２０が位置されることにより、載置台３は、後方のみに摺動可能になる。即ち、排気ダクト１６の延出部１８の垂直壁面２０が、載置台３の摺動開始の位置を決めている。尚、図８（ａ）に示すように、載置台３の開口部４１が、調理器本体２の突出部２４よりも大きく形成されているので、載置台３が調理器本体２に対して多少ずれて下ろされても、調理器本体２の突出部２４は、載置台３の開口部４１に収容されて載置台３を調理器本体２に載置することができる。
【００２６】
そして、載置台３が調理器本体２に対して後方へ摺動されると（図１、図４及び図８において、摺動方向を矢印Ａ方向で示す）、図４の実線で示すように、載置台３は、載置台３の狭小部３７を構成する壁面のうちの後ろ側の壁面３７ｂが、調理器本体２の排気ダクト１６の壁面１６ｂに当たるまで摺動され、壁面３７ｂが壁面１６ｂに当接すると載置台３の摺動は停止され、この位置（所定の摺動停止位置）で停止された状態になる。即ち、上述したように、排気ダクト１６の壁面１６ｂが、載置台３の摺動停止位置を決める構成になっている。そして、載置台３が所定の摺動停止位置で停止されると、載置台３の排気口部３５は、調理器本体２の排気ダクト１６と連通した状態になり、グリル庫７内で生じた煙等は、排気ダクト１６及び排気口部３５を通って、加熱調理器１の外部に排気可能になる。
【００２７】
又、載置台３の摺動の際においては、図１（ｃ）、図７及び図８（ｂ）に示すように、載置台３の水平枠部４０ａが、載置面２２上を摺動する。一方、載置台３の摺動停止位置においては、載置台３の垂直枠部３９及び水平枠部４０ａの一部が、突出部２４を外側から覆った構成になる。このときに、水平枠部４０ａが、突出部２４の下方に入り込む状態、即ち、載置面２２と突出部２４とに挟まれた状態になる。この状態においては、載置台３に上向きの力が作用しても、水平枠部４０ａが突出部２４に引っ掛かるので、載置台３の浮き上がりが防止される。
【００２８】
又、載置台３の後部側の水平枠部４０ｂは、載置台３の摺動によって、調理器本体２の膨出部２６を乗越えて、載置台３の摺動が停止する。この停止構造においては、図１（ｃ）及び図４に示すように、水平枠部４０ｂは完全に膨出部２６を乗越えた状態で、且つ、水平枠部４０ｂの前方側（内周側）の端部が膨出部２６の後ろの側の部位に引っ掛かった状態になる。これにより、載置台３の前方への移動が規制される。
【００２９】
載置台３の前方への移動が規制された状態で、載置台３のねじ孔部３４ａと調理器本体２のねじ孔部１５ａとをねじ４２でねじ止めし、載置台３のねじ孔部３５ａと調理器本体２のねじ孔部１７ａとをねじ４２でねじ止めすることにより、載置台３の調理器本体２への取付けが完了する。尚、ねじ４２を設けない構成にしても良い。この場合は、ねじ孔部１５ａ，１７ａ，３４ａ，３５ａを設けなくて良い。
【００３０】
尚、載置台３が調理器本体２の前方から後方へ摺動される構成であるため、本実施形態において、載置台３を前方から後方へ摺動させる方向（矢印Ａ方向）が摺動方向に相当し、載置台３（調理器本体２）の左右方向が摺動方向と直交する方向に相当する。又、加熱調理器１の前方側が、摺動方向の上流側になる。
【００３１】
上記構成よれば、調理器本体２にあって載置台３と接する部位に、載置台３の取付け時に載置台３を調理器本体２上で摺動可能にする載置面２２が設けられた構成であるので、載置台３を調理器本体２に対して摺動させて取付けることができ、もって、載置台３を調理器本体２に取付ける際に、ねじ４２の締付けのみで取付ける方法に比べて、ねじ４２の本数を極力少なくでき、或いは、ねじ４２をなくしたりすることが可能となり、加熱調理器１の組立てや分解の作業効率の向上させることができる。
【００３２】
調理器本体２の載置面２２付近に、載置台３が摺動する摺動方向とは異なる方向へ突出する突出部２４が設けられ、載置台３の水平枠部４０ａが、突出部２４の下方（載置面２２上）を摺動する構成であり、又、載置台３が調理器本体２上を摺動して所定の摺動停止位置に停止されると、載置台３の水平枠部４０ａが調理器本体２の突出部２４の下方に入り込んで位置する構成であるので、調理器本体２の上方向に外れることを規制することができる。具体的には、調理器本体２内には、図示しないが、加熱コイル５，６を上方に付勢させて載置台３の裏側にあてがうためのバネ等の付勢手段が設けられており、載置台３は、常に上方に向かう力を受けているが、上記構成にすることにより、載置台３が上方向に外れることを防止することができる。そのため、載置台３の取付けが簡単にできる。
【００３３】
調理器本体２の突出部２４に引っ掛かる載置台３の水平枠部４０ａに、突出部２４よりも大きい開口部４１を形成したので、開口部４１を設けずに載置台３を調理器本体２の前側から摺動させる構成に対して、摺動距離を短くでき、作業効率を向上させることができる。更に、載置台３を調理器本体２上に下ろす際に、載置台３が調理器本体２の所定の位置に対して多少ずれて下ろされても、調理器本体２の突出部２４は載置台３の開口部４１に収容されて載置台３を調理器本体２に載置することができ、作業効率を向上させることができる。
【００３４】
調理器本体２の延出部１８の垂直壁面２０が、載置台３の狭小部３７の壁面３７ａよりも摺動方向の上流側に位置して載置台３の摺動開始位置を決める摺動開始用位置決め部として機能するので、載置台３が所定方向以外（摺動方向と逆方向）に摺動してしまうことを防止することができる。又、載置台３の狭小部３７の壁面３７ａの下端部が延出部１８の垂直壁面２０に当接した状態のときに、載置台３の開口部４１が調理器本体２の突出部２４の上方に位置される構成であるので、調理器本体２の突出部２４を載置台３の開口部４１に容易に収容でき、もって、組立ての作業効率を向上させることができる。
【００３５】
調理器本体２の排気ダクト１６の壁面１６ｂが、載置台３の摺動停止位置を決める摺動停止用位置決め部として機能する構成、即ち、載置台３が所定の位置まで摺動されると、載置台３の狭小部３７の壁面３７ｂが排気ダクト１６の壁面１６ｂに当たり、載置台３の摺動が停止される構成であるので、載置台３が所定の摺動停止位置よりも後方へ摺動してしまうことを防止することができる。
【００３６】
調理器本体２の排気ダクト１６に延出部１８を設けたので、載置台３とともに摺動する排気口部３５の動きを延出部１８で許容することができる。即ち、載置台３の摺動前後において、載置台３の排気口部３５が排気ダクト１６に収納され、且つ、載置台３の摺動後に、排気口部３５と排気ダクト１６とが連通される構成であるので、載置台３を調理器本体２に摺動して取付ける本実施形態においても、グリル庫７で生じた煙等を、排気ダクト１６及び排気口部３５に通させて外部に排出させることができる。
【００３７】
調理器本体２の後端部に、載置台３の摺動停止位置で載置台３の摺動方向への摺動を規制する膨出部２６を設けたので、載置台３が所定の摺動停止位置に摺動された後に、載置台３に摺動方向と逆方向に力が加えられても、載置台３の水平枠部４０ｂが膨出部２６に引っ掛かり、もって、載置台３が所定の摺動停止位置から載置台３の摺動方向と逆方向にずれてしまうことを防止することができる。
【００３８】
次に、本発明の第２の実施形態を図９及び図１０を参照して説明する。尚、上記第１の実施形態と同一部分には同一符号を付し、その詳細な説明は省略する。
第２の実施形態では、図９に示すように、第１の実施形態の調理器本体２の突出部２４の代わりに、突板部２３の一部を変形してなる突出部５１が設けられている。突出部５１は、略半円弧状で調理器本体２の摺動方向に、開口部４１の摺動方向の長さ寸法よりもやや短い寸法分だけ延びた形状をなし、図１０（ａ）乃至（ｃ）に示すように、調理器本体２の突板部２３の一部が外側へ突出して、調理器本体２の内周側が凹んで形成されている。
【００３９】
次に、載置台３を調理器本体２に取付ける手順について図１０を参照して説明する。
まず、載置台３の狭小部３７の壁面３７ａの下端部が、第１の実施形態と同様に、調理器本体２の排気ダクト１６内に収まり、且つ、延出部１８の垂直壁面２０の上端部に当接するように、載置台３を調理器本体２上に位置させると、図１０（ａ）に示すように、載置台３の開口部４１が調理器本体２の突出部５１の上方に位置した状態になる。
【００４０】
次に、載置台３を下ろすと、図１０（ｂ）に示すように、調理器本体２の突出部５１は載置台３の開口部４１に収容されて、載置台３が調理器本体２上に載置される。
そして、載置台３を調理器本体２に対して後方へ摺動させると、載置台３は、所定の摺動停止位置まで摺動する。この載置台３の摺動の際においては、載置台３の水平枠部４０ａは、載置面２２上を摺動する。一方、載置台３の摺動の停止位置においては、図１０（ｃ）に示すように、載置台３の垂直枠部３９及び水平枠部４０ａが、突出部５１を外側から覆った構成になる。このときに、水平枠部４０ａの一部が、突出部５１の下方に入り込む状態、即ち、突出部５１と載置面２２とに挟まれた状態になる。この状態においては、載置台３に上向きの力が作用しても、水平枠部４０ａが突出部５１に引っ掛かるので、載置台３の浮き上がりが防止される。
【００４１】
上記構成によれば、第１の実施形態の突出部２４の代わりに突出部５１を設けても、第１の実施形態と同様の作用効果を得ることができる。更に、突出部５１は、調理器本体２の突板部２３を膨出させて調理器本体２の壁面２ａに一体に形成されているので、突出部を形成させるためのねじ等の別部品を必要とせず、部品点数を減らすことができる。
【００４２】
次に、本発明の第３の実施形態を図１１を参照して説明する。尚、上記第１の実施形態と同一部分には同一符号を付し、その詳細な説明は省略する。
第３の実施形態では、排気ダクト及び排気口部の形状が、上記第１の実施形態と異なる。即ち、図１１に示すように、載置台３の排気口部３５における狭小部３７の壁面３７ａの下端部は、後方に向かうに従って上昇傾斜する傾斜面６１が形成され、この傾斜面６１を含む壁面３７ａの下部には、耐熱性の弾性部材、例えばゴムパッキン６２が設けられている。ゴムパッキン６２は、狭小部３７の壁面３７ａの下部を覆うように、上方が開放した断面略コ字状をなしている。
【００４３】
一方、グリル庫７から延びる排気ダクト１６には、延出部１８は形成されておらず、排気ダクト１６の前面側の壁面１６ｃ（第１の実施形態の壁面１６ａに相当）は、載置台３の狭小部３７の後部側の壁面３７ｂよりも下方に位置する高さになっている。更に、排気ダクト１６の壁面１６ｃの上端部は、狭小部３７の壁面３７ａの傾斜面６１と平行になるように、後方に向かうに従って上昇傾斜する傾斜面６３が形成され、載置台３が摺動して、載置台３の狭小部３７の壁面３７ｂが排気ダクト１６の壁面１６ｂに当接したときに、ゴムパッキン６２が排気ダクト１６の壁面１６ｃの傾斜面６３に当接し、排気ダクト１６の壁面１６ｂと狭小部３７の壁面３７ａが上下方向にゴムパッキン６２を挟んで略直線状に位置する構成になっている。尚、図１１では、載置台３が摺動する前の状態を、二点鎖線で示し、載置台３が所定の摺動停止位置に停止した状態を実線で示している。
【００４４】
上記構成によれば、狭小部３７の壁面３７ａが排気ダクト１６の壁面１６ｂに当接したときに、狭小部３７の壁面３７ａと排気ダクト１６の壁面１６ｃとの当接部分にゴムパッキン６２が位置するので、グリル庫７で発生した煙等が、狭小部３７の壁面３７ａと排気ダクト１６の壁面１６ｂとの当接部分から漏れてしまうことを防止することができる。
【００４５】
壁面３７ａの下端部に傾斜面６１を形成し、排気ダクト１６の壁面１６ｃの上端部に、傾斜面６３を形成したので、壁面１６ｃとゴムパッキン６２との接触面積が増し、載置台３を摺動したときの傾斜面６１，６３間の密閉性をより向上させることができる。
【００４６】
次に、本発明の第４の実施形態を図１２を参照して説明する。尚、上記第３の実施形態と同一部分には同一符号を付し、その詳細な説明は省略する。
第４の実施形態では、図１２に示すように、狭小部３７に取付けられるゴムパッキン７１の形状が、上記第３の実施形態のゴムパッキン６２の形状と異なる。即ち、ゴムパッキン７１は、狭小部３７の壁面３７ａの下部を覆うように、上方が開放され、且つ、下方の一部が排気ダクト１６側に突出する凸部７２が形成された断面略ｈ字状をなしている。このゴムパッキン７１の凸部７２は、載置台３が摺動されて所定の摺動停止位置に達したときに排気ダクト１６の壁面１６ｃの外側の面に当接する構成であり、摺動停止用位置決め部として機能する。
【００４７】
上記構成によれば、ゴムパッキン７１と排気ダクト１６の壁面１６ｃとの接触面積が第３の実施形態のゴムパッキン６２を用いたときの接触面積よりも大きいので、第３の実施形態と同様以上の密閉性の効果を得ることができる。更に、排気ダクト１６の壁面１６ｂが長年の使用のために変形等して摺動停止用位置決め部の機能を有しなくなった場合でも、ゴムパッキン７１の凸部７２が摺動停止用位置決め部として機能するので、載置台３を所定の摺動停止位置に停止させることができる。
【００４８】
次に、本発明の第５の実施形態を図１３を参照して説明する。尚、上記第１の実施形態と同一部分には同一符号を付し、その詳細な説明は省略する。
第５の実施形態では、図１３に示すように、調理器本体２の後ろ側の壁面２ｂには、膨出部２６は設けられておらず、その代わりに、壁面２ｂの上部に開口部８１が形成されている。又、載置台３（支持フレーム３２）の水平枠部４０ｂには係止爪８２が設けられている。係止爪８２は、弾性変形可能な略Ｌ字状をなし、先端部が開口部８１に向かう形状をなし、載置台３の摺動停止時に、開口部８１の周縁部に引っ掛かる構成である。
【００４９】
この構成によれば、載置台３が所定の摺動停止位置に停止されると、係止爪８２が開口部８１の周縁部に引っ掛かるので、載置台３が摺動方向と逆方向に摺動してしまうことを規制することができ、ねじ４２を全く使用しないで載置台３を調理器本体２に装着することができる。
【００５０】
尚、本発明は上記し且つ図面に示す実施形態に限定されず、次のような変形、拡張が可能である。
第１乃至第４の実施形態では、排気ダクト１６（壁面１６ａ、壁面１６ｃ、延出部１８）と載置台３の狭小部３７の壁面３７ａを当接させて、載置台３を調理器本体２に載置させる構成を説明したが、排気ダクト１６と狭小部３７とで位置合わせを行わずに、調理器本体２の突出部２４と載置台３の開口部４１とを直接合わせることにより、載置台３を調理器本体２に載置させても良い。この場合、開口部４１が摺動開始用位置決め部として機能する。
【００５１】
第１乃至第４の実施形態での摺動方向は、前方から後方に向かう方向で説明したが、載置台の摺動方向を後方から前方へ、或いは、左右方向へ摺動させる構成にしても良い。この場合、載置面、突板部、突出部、膨出部、水平枠部に形成された開口部等の位置を適宜変更する必要がある。
第１、第３及び第４の実施形態の排気ダクト及び排気口部の構成を、吸気ダクト及び吸気口部にも適用できる。
【００５２】
第３及び４の実施形態において、載置台に形成された排気口部を構成する壁面のうちの摺動方向の下流側の壁面の下端部に弾性部材、例えばゴムパッキンを設けても良い。又、第１乃至第４の実施形態において、載置台に接する排気ダクトの開口部に弾性部材を設けても良い。即ち、載置台の排気口部或いは排気ダクトのいずれか一方或いは双方の摺動方向の上流側或いは下流側のいずれか一方又は双方の部位に相手側に当接する第３或いは第４の実施形態のゴムパッキンを設けても良い。この場合、傾斜面及びゴムパッキンの凸部の形状は適宜変更することができる。
【００５３】
第１乃至第４の本実施形態において、調理器本体の突板部を更に内側或いは外側に折曲げて、その折曲げた部位を、調理器本体の載置面（摺動部）としても良い。
その他、上記説明した実施形態の構成は一例にすぎず、適宜変更しても良い。
本発明は、ビルトインタイプのクッキングヒータに適用できる。
【図面の簡単な説明】
【００５４】
【図１】本発明の第１の実施形態を示す加熱調理器の調理器本体の側面図及び載置台の縦断側面図であり、（ａ）は載置台を調理器本体に取付ける前の状態を示す図、（ｂ）は調理器本体の突出部を載置台の開口部に収容した状態を示す図、（ｃ）は載置台を摺動させた後の状態を示す図
【図２】加熱調理器の分解斜視図
【図３】グリル庫部分の縦断側面図
【図４】排気ダクト周辺の部分縦断側面図
【図５】調理器本体の突出部周辺の拡大図
【図６】（ａ）は載置台を下方から見た斜視図、（ｂ）は載置台の開口部の拡大図
【図７】載置台を調理器本体に取付ける状態を示す要部の縦断正面図であり、（ａ）は図１（ａ）の状態に対応する図、（ｂ）は図１（ｂ）の状態に対応する図、（ｃ）は図１（ｃ）の状態に対応する図
【図８】載置台を調理器本体に取付ける状態を示す要部の横断平面図であり、（ａ）は図１（ｂ）の状態に対応する図、（ｂ）は図１（ｃ）の状態に対応する図
【図９】本発明の第２の実施形態を示す図５相当図
【図１０】図７相当図
【図１１】本発明の第３の実施形態を示す図４相当図
【図１２】本発明の第４の実施形態を示す図４相当図
【図１３】本発明の第５の実施形態を示す図４相当図
【符号の説明】
【００５５】
図面中、１は加熱調理器、２は調理器本体、３は載置台、５及び６は加熱コイル（加熱手段）、７はグリル庫、９はシーズヒータ（加熱手段）、１６は排気ダクト、１６ｂは壁面（摺動停止用位置決め部）、１７は開口部、１８は延出部、２０は垂直壁面（摺動開始用位置決め部）、２２及び２５は載置面（摺動部）、２４及び５１は突出部、２６は膨出部（位置規制部）、３１はトッププレート、３２は支持フレーム、３５は排気口部、３９は垂直枠部（覆い部）、４０は水平枠部（覆い部）、４０ａは水平枠部（引っ掛かり部）、４０ｂは水平枠部、４１は開口部、６３及び７１はゴムパッキン（弾性部材）、７２は凸部（摺動停止用位置決め部）を示す。
【図１】
0005268435.tif 000002
【図２】
0005268435.tif 000003
【図３】
0005268435.tif 000004
【図４】
0005268435.tif 000005
【図５】
0005268435.tif 000006
【図６】
0005268435.tif 000007
【図７】
0005268435.tif 000008
【図８】
0005268435.tif 000009
【図９】
0005268435.tif 000010
【図１０】
0005268435.tif 000011
【図１１】
0005268435.tif 000012
【図１２】
0005268435.tif 000013
【図１３】
0005268435.tif 000014